(57)【要約】【課題】簡単な構成で容易かつ精度良く対物光学系の光軸調整を行うことができる双眼鏡を提供する。  【解決手段】双眼鏡は、左右の対物光学系Ｌ１Ｌ，Ｌ１Ｒと、該左右の対物光学系によりそれぞれ形成された光学像を正立させる左右の正立光学系Ｌ３Ｌ，Ｌ３Ｒと、該正立させられた光学像を観察者に両眼で観察させる左右の接眼光学系とを有する。左右の対物光学系は、その少なくとも一部に、一体となるように保持された左右の光学要素Ｌ１Ｌ，Ｌ１Ｒを含む。そして、該左右の光学要素を、左右の対物光学系の光軸に平行な軸の回りで回動させる調整機構１７，１８を有する。【選択図】図２
2010097001.tif 000002
【特許請求の範囲】
【請求項１】
左右の対物光学系と、
該左右の対物光学系によりそれぞれ形成された光学像を正立させる左右の正立光学系と、
該正立させられた光学像を観察者に両眼で観察させる左右の接眼光学系とを有し、
前記左右の対物光学系は、その少なくとも一部に、一体となるように保持された左右の光学要素を含み、
該左右の光学要素を、前記左右の対物光学系の光軸に平行な軸の回りで回動させる調整機構を有することを特徴とする双眼鏡。
【請求項２】
前記左右の対物光学系は、一体になるように保持された左右の振れ補正光学系を含むことを特徴とする請求項１に記載の双眼鏡。
【発明の詳細な説明】
【技術分野】
【０００１】
本発明は、双眼鏡に関し、さらに詳しくは対物光学系の調整機構を有する双眼鏡に関する。
【背景技術】
【０００２】
双眼鏡には、左右の対物光学系と、複数のプリズムやミラーを含み、該左右の対物光学系によりそれぞれ形成された光学像を正立させる左右の正立光学系と、該正立させられた光学像を観察者に両眼で観察させる左右の接眼光学系とが設けられている。そして、各光学系の光軸調整を行うための構成が種々提案されている（特許文献１，２参照）。
【０００３】
特許文献１にて開示された双眼鏡では、それぞれ正立光学系と接眼光学系とを一体的に保持した左右の接眼ユニットを互いに傾けることで接眼ユニットの光軸調整を行う。また、特許文献２にて開示された双眼鏡では、左右の対物光学系のうち少なくとも一方の対物光学系を、光軸に直交する方向に移動させることで対物光学系の光軸調整を行う。
【特許文献１】特開２００３−０５７５６３号公報
【特許文献２】特開平０８−２１１３０３号公報
【発明の開示】
【発明が解決しようとする課題】
【０００４】
しかしながら、特許文献１，２にて開示されている光軸調整のための構成に対して、より簡単で、調整作業を容易かつ精度良く行える構成が望まれている。
【０００５】
本発明は、簡単な構成で容易かつ精度良く対物光学系の光軸調整を行うことができる双眼鏡を提供する。
【課題を解決するための手段】
【０００６】
本発明の一側面としての双眼鏡は、左右の対物光学系と、該左右の対物光学系によりそれぞれ形成された光学像を正立させる左右の正立光学系と、該正立させられた光学像を観察者に両眼で観察させる左右の接眼光学系とを有する。左右の対物光学系は、その少なくとも一部に、一体となるように保持された左右の光学要素を含む。そして、該左右の光学要素を、左右の対物光学系の光軸に平行な軸の回りで回動させる調整機構を有することを特徴とする。
【発明の効果】
【０００７】
本発明によれば、左右の対物光学系のうち少なくとも一部の左右の光学要素を一体となるように保持して光軸に平行な軸の回りで回動させる調整機構を設けたことにより、簡単な構成で容易かつ精度良く対物光学系の光軸調整を行うことができる。
【発明を実施するための最良の形態】
【０００８】
以下、本発明の好ましい実施例について図面を参照しながら説明する。
【実施例１】
【０００９】
図１、図２及び図３には、本発明の実施例１である双眼鏡の構成を示している。図１は、左右一対の対物光学系及び左右一対の接眼光学系のそれぞれ光軸を含む面での断面を示す。図２は双眼鏡の斜視図であり、図３は分解斜視図である。
【００１０】
図１及び図２において、ＯＬは左の対物光学系の光軸であり、ＯＲは右の対物光学系の光軸である。ＥＬは左の接眼光学系の光軸であり、ＥＲは右の接眼光学系の光軸である。
【００１１】
図１〜図３において、Ｌ１Ｌ，Ｌ１Ｒは左右の対物光学系のそれぞれの一部を構成する左右の対物レンズである。Ｌ２Ｌ，Ｌ２Ｒは左右の対物光学系のそれぞれの他の一部を構成する左右の振れ補正レンズ（振れ補正光学系）である。振れ補正レンズＬ２Ｌ，Ｌ２Ｒは、対物レンズＬ１Ｌ，Ｌ１Ｒに対して上下左右（対物光学系の光軸ＯＬ，ＯＲに直交する方向）にシフトすることで、左右の対物光学系がそれぞれ形成する光学像を上下左右に移動させる。これにより、双眼鏡に加わる手振れに起因する像振れを低減する。
【００１２】
Ｌ３Ｌ，Ｌ３Ｒは左右の正立光学系を構成する左右のポロII型正立プリズムである。Ｌ４Ｌ，Ｌ４Ｒは左右の接眼光学系を構成する左右の接眼レンズである。
【００１３】
左右のポロII型正立プリズムＬ３Ｌ，Ｌ３Ｒは、左右の対物光学系によって形成される光学像を正立させるととともに、左右の対物光学系の光軸ＯＬ，ＯＲを左右の接眼光学系の光軸ＥＬ，ＥＲに対して偏芯させる。左右の接眼光学系は、正立された光学像を観察者に両眼で観察させる。なお、正立光学系を、ポロII型正立プリズム以外のプリズム（ダハプリズムや平行四辺形プリズム）又はミラーを用いて構成してもよい。
【００１４】
１Ｌ，１Ｒはそれぞれ、対物レンズＬ１Ｌ，Ｌ１Ｒを保持する対物鏡筒である。２Ａは左右の振れ補正レンズＬ２Ｌ，Ｌ２Ｒを含む振れ補正ユニットであり、対物鏡筒２の内部に組み込まれている。
【００１５】
対物レンズ保持枠１Ｌ，１Ｒは、対物鏡筒２の左右の前端にバヨネット結合され、不図示の回り止め構造によって対物鏡筒２に対して回転しないように固定されている。すなわち、左右の対物レンズ（光学要素）Ｌ１Ｌ，Ｌ１Ｒは、対物鏡筒２によって一体（つまり左右一体）となるように保持されている。
【００１６】
左右の振れ補正レンズＬ２Ｌ，Ｌ２Ｒの光軸はそれぞれ、該振れ補正レンズＬ２Ｌ，Ｌ２Ｒの上下左右の可動範囲内の中心位置にて、左右の対物レンズＬ１Ｌ，Ｌ１Ｒの光軸に一致する。左右の振れ補正レンズＬ２Ｌ，Ｌ２Ｒは、シフト枠２１によって一体（つまり左右一体）となるように、言い換えれば、対物鏡筒２に対して一体で上下左右にシフトするように保持されている。このようにして、本実施例では、左右の対物光学系の全体が、その内部で振れ補正レンズＬ２Ｌ，Ｌ２Ｒが移動可能なように一体化されている。なお、振れ補正ユニット２Ａの詳しい構成については後述する。
【００１７】
４Ｌ，４Ｒは左右の接眼レンズＬ４Ｌ，Ｌ４Ｒをそれぞれ保持する左右の接眼鏡筒である。３Ｌ，３Ｒは左右のポロII型正立プリズムＬ３Ｌ，Ｌ３Ｒ及び左右の接眼鏡筒４Ｌ，４Ｒをそれぞれ保持する左右の支持枠である。
【００１８】
５Ｌ，５Ｒは接眼鏡筒４Ｌ，４Ｒのそれぞれに取り付けられた観察用の目当てゴムである。接眼鏡筒４Ｌ，４Ｒの外周にはそれぞれオスヘリコイドが形成されている。また、支持枠３Ｌ，３Ｒの内周壁には、メスヘリコイドが形成されている。このため、左右の接眼鏡筒４Ｌ，４Ｒをそれぞれ左右の接眼光学系の光軸ＥＬ，ＥＲの回りで回転させることで、接眼レンズＬ４Ｌ，Ｌ４Ｒをその光軸方向に移動させることができる。これにより、左右の視度調節が可能である。
【００１９】
接眼レンズＬ４Ｌ，Ｌ４Ｒ、ポロII型正立プリズムＬ３Ｌ，Ｌ３Ｒ、接眼鏡筒４Ｌ，４Ｒ及び左右の支持枠３Ｌ，３Ｒにより、左右の接眼ユニット６Ｌ，６Ｒが構成される。
【００２０】
７は支持ベース部材であり、接眼ユニット６Ｌ，６Ｒを左右の対物光学系の光軸ＯＬ，ＯＲの回りで回転可能に支持するとともに、左右の対物光学系の全体を光軸方向に移動させて観察対象物に対するピント合わせを行うためのベースとなる。
【００２１】
支持ベース部材７には、対物光学系の光軸ＯＬ，ＯＲに直交するように折り曲げられた垂直部７ａが設けられている。垂直部７ａには、左右の開口部７Ｌ，７Ｒが形成されており、該開口部７Ｌ，７Ｒには、支持枠３Ｌ，３Ｒのそれぞれに設けられた円筒部３Ｌａ，３Ｒａが係合する。
【００２２】
８Ｌ，８Ｒは左右の連動板であり、左右の接眼ユニット６Ｌ，６Ｒのうち一方の接眼ユニットの対物光学系の光軸（ＯＬ又はＯＲ）の回りでの回転を、他方の接眼ユニットに伝達する。連動板８Ｌ，８Ｒにはそれぞれギア部８Ｌａ，８Ｒａが設けられており、これらは互いに噛み合っている。また、連動板８Ｌ，８Ｒにはそれぞれ、複数の腕部８Ｌｂ，８Ｒｂが形成されている。連動板８Ｌ，８Ｒは、支持枠３Ｌ，３Ｒとの間に支持ベース部材７の垂直部７ａを挟んで支持枠３Ｌ，３Ｒにビスにより取り付けられる。これにより、左右の接眼ユニット６Ｌ，６Ｒは、支持ベース部材７（垂直部７ａ）に対して、左右の対物光学系の光軸ＯＬ，ＯＲの回りで連動回転可能に保持される。なお、複数の腕部８Ｌｂ，８Ｒｂは、連動板８Ｌ，８Ｒと支持ベース部材７（垂直部７ａ）との間で弾性変形し、連動板８Ｌ，８Ｒの垂直部７ａに対する回転に抵抗を付与する。
【００２３】
左右の接眼光学系の光軸ＥＬ，ＥＲはそれぞれ、左右の対物光学系の光軸ＯＬ，ＯＲに対して偏芯しているので、左右の接眼ユニット６Ｌ，６Ｒを左右の対物光学系の光軸ＯＬ，ＯＲの回りで回動させると、左右の接眼光学系の光軸ＥＬ，ＥＲ間の幅が変化する。これにより、左右の接眼光学系の光軸ＥＬ，ＥＲの間隔を、観察者の左右の眼の間隔に合わせる、いわゆる眼幅調整が可能となる。
【００２４】
また、接眼ユニット６Ｌ，６Ｒのそれぞれで、左右の接眼レンズＬ４Ｌ，Ｌ４Ｒを通して観察される光学像が眼幅調整時にずれないように、左右のポロII型正立プリズムＬ３Ｌ，Ｌ３Ｒの位置がそれぞれ調整される。この調整は、左右の接眼ユニット６Ｌ，６Ｒの回転軸のそれぞれを、接眼レンズＬ４Ｌ，Ｌ４Ｒの光軸に一致させるためのものである。
【００２５】
７ｂは支持ベース部材７において左右の対物光学系の光軸ＯＬ，ＯＲに平行に延びる上面部であり、左右の対物光学系を光軸方向に移動させてピント合わせを行うときのベース面となる部分である。上面部７ｂの４箇所には、エンボス加工により凸部７ｃが形成されている。
【００２６】
９は対物鏡筒２が取り付けられるフォーカス支持部材である。フォーカス支持部材９の４箇所には、それぞれ光軸方向に延びるように設けられたガイド溝部９ａ，９ｂ，９ｃ，９ｄが形成されている。ガイド溝部９ａ，９ｂに比べて、ガイド溝部９ｃ，９ｄの方が、幅が広く形成されている。
【００２７】
１０は４つのガイド部材であり、ガイド溝部９ａ，９ｂに光軸方向に移動可能に係合するガイド部１０ａと、左右に延びる腕部１０ｂとを有する。各ガイド部材１０は、ガイド部１０ａがガイド溝部９ａ〜９ｄに係合した状態で支持ベース部材７の上面部７ｂにビスにより固定される。
【００２８】
フォーカス支持部材９は、ガイド溝部９ａ，９ｂに係合するガイド部材１０のガイド部１０ａによって光軸方向にガイドされる。フォーカス支持部材９は、ガイド溝部９ａ〜９ｄの幅方向両側の部分がガイド部材１０の腕部１０ｂによって押えられることでベース部材７の凸部７ｃに圧接される。
【００２９】
１１は定位置で回転する送りねじである。１２は送りねじ１１の後端部に結合される操作ダイアルである。１３は送りねじ１１と操作ダイアル１２を定位置で回転可能に支持する軸受けである。軸受け１３は、ベース部材７の上面部７ｂの後端において直角に曲げ起されたダイアル保持部７ｄにビスにより固定される。１４は雌ねじ部材であり、フォーカス支持部材９の後端にて直角に曲げ起されたねじ保持部９ｅにビスにより固定される。雌ねじ部材１４には、送りねじ１１が螺合する。このような構成によれば、操作ダイアル１２を回転させることで、フォーカス支持部材９を光軸方向に移動させることができる。
【００３０】
１５は送りねじ１１に雌ねじ部材１４を螺合させた後に、送りねじ１１の前端部に固定されるストッパである。フォーカス支持部材９の光軸方向の移動は、ストッパ１５とダイアル保持部７ｄとの間に制限される。
【００３１】
対物鏡筒２には、フォーカス支持部材９がビスにより結合される結合部２ａ，２ｂと、フォーカス支持部材９に対する左右方向の位置を決める位置決めピン２ｃとを有する。さらに、対物鏡筒２には、フォーカス支持部材９に対する光軸方向の位置を決める位置決めピン２ｄ，２ｅが設けられている。
【００３２】
結合部２ａ，２ｂと位置決めピン２ｃは、ベース部材７の上面部７ｂに光軸方向に延びるように形成された開口部７ｅを貫通して２本のビス１６によりフォーカス支持部材９に固定される。位置決めピン２ｄ，２ｅは、フォーカス支持部材９に左右方向に延びるように形成された長溝部９ｅ，９ｆに係合する。
【００３３】
このようにして、左右一体化された対物光学系がフォーカス支持部材９に対して光軸方向において固定される。これにより、フォーカス支持部材９の光軸方向への移動により、観察対象物に対するピント合わせを行うことができる。
【００３４】
次に光軸調整機構について、図４を用いて説明する。図４は、図２に示す面Ａでの断面を示している。面Ａは、左右の対物光学系の光軸ＯＬ，ＯＲに直交し、対物鏡筒２の位置決めピン２ｄ，２ｅを通る面である。
【００３５】
１７は対物鏡筒２の左右にビスにより固定された光軸調整部材である。光軸調整部材１７には、雌ねじ部１７ａが設けられている。
【００３６】
１８は左右の光軸調整ビスであり、フォーカス支持部材９に形成された左右の穴部を貫通して、左右の光軸調整部材１７の雌ねじ部１７ａに螺合する。
【００３７】
図４は、左の対物光学系（光軸ＯＬ）が右の対物光学系（光軸ＯＲ）に対して下側に位置した状態からの光軸調整の様子を示している。この場合、左の光軸調整ビス１８を対物鏡筒２に固定された左の光軸調整部材１７の雌ねじ部１７ａに対してねじ込んでいく。これにより、対物鏡筒２は、フォーカス支持部材９に対して２本のビス１６により固定されている部分を支点として、左の対物光学系（光軸ＯＬ）が斜め上方向に、右の対物光学系（光軸ＯＲ）が斜め下方向に移動するように回動する。言い換えれば、対物鏡筒２は、フォーカス支持部材９に対して２本のビス１６により固定されている部分を通って対物光学系の光軸ＯＬ，ＯＲに平行に延びる軸の回りで回動する。
【００３８】
これにより、左の対物光学系の光軸ＯＬと右の対物光学系の光軸ＯＲの上下方向での位置を一致させることができる。つまり、接眼レンズＬ４Ｌ，Ｌ４Ｒを通して観察される左右の光学像の上下方向での位置を一致させることができる。なお、左の対物光学系の光軸ＯＬと右の対物光学系の光軸ＯＲは、左右方向には同じ量だけ移動する。
【００３９】
右の対物光学系（光軸ＯＲ）が左の対物光学系（光軸ＯＬ）よりも下側に位置する場合には、右の光軸調整ビス１８を右の光軸調整部材１７の雌ねじ部１７ａにねじ込めばよい。
【００４０】
このように、左右の光軸調整ビス１８を対物鏡筒２に固定した光軸調整部材１７に対して螺合させただけの簡単な構成で、該ビス１８を回転させるだけの簡単な作業により、対物光学系の光軸ＯＬ，ＯＲの上下方向位置を精度良く調整することができる。
【００４１】
なお、このような光軸調整の後に、左右の光軸調整ビス１８を接着剤で固定しておけば、振動や衝撃による光軸調整ビス１８の緩み等によって対物光学系の光軸ＯＬ，ＯＲの位置がずれることを防止できる。
【００４２】
図１において、１９は左右の対物光学系や前述した光軸調整機構及びピント合わせ機構等を囲う外装部材である。なお、外装部材１９は、図２、図３及び図４では図示を省略している。ピント合わせに伴う可動部分や光軸調整機構は、外装部材１９によって保護されている。
【００４３】
ここで、光軸調整後の左右の対物光学系の光軸ＯＬ，ＯＲのずれ量の許容値について説明する。左右の光軸ＯＬ，ＯＲの平行度は日本工業規格［ＪＩＳ  Ｂ  ７１２１］に規格が定められている。例えば、１０倍の倍率を有するＡＡ級双眼鏡の許容値は、実視界での角度において、上下方向が２．５分、左右の外方向が３．５分、内方向が７．５分となっている。内方向とはいわゆる寄り目になる方向である。人は近距離の物を見るときには自然に寄り目になるので、寄り目方向での視界調節は無理なく行うことができる。しかし、外方向及び上下方向の目の動きは自然にはできないので、左右の対物光学系の光軸ＯＬ，ＯＲのずれ量が大きいと目が疲れたり、左右の光学像を重ねることが困難となったりする。上述の許容値は、双眼鏡の倍率が高くなるほど小さな値となる。
【００４４】
本実施例では、左右の対物光学系は精度の高い部品で一体的に保持されている。対物レンズＬ１Ｌ，Ｌ１Ｒは、対物レンズ保持枠１Ｌ，１Ｒにより保持されて、対物鏡筒２の前端にバヨネット結合されて固定されている。また、左右の振れ補正レンズＬ２Ｌ，Ｌ２Ｒも、後述する１つの保持枠によって一体的に保持されている。左右の対物光学系の左右の接眼光学系に対するずれは、支持ベース部材７に形成された開口部７Ｌ，７Ｒの位置精度により決定される。このため、左右の対物光学系の左右方向での光軸平行度は、これらの部品の製作精度を良くすることで、調整作業を行うことなく許容値の範囲内に入れることが可能である。したがって、本実施例では、左右の対物光学系の上下方向での光軸調整を行う機構のみを設けている。
【００４５】
次に、図５を用いて振れ補正ユニット２Ａの構成について詳しく説明する。２は前述した対物鏡筒であり、２１は前述したように左右の振れ補正レンズＬ２Ｌ，Ｌ２Ｒを一体となるように保持するシフト枠である。シフト枠２１が対物鏡筒２に対して回転することなく上下左右にシフトすることで、振れ補正レンズＬ２Ｌ，Ｌ２Ｒが対物レンズＬ１Ｌ，Ｌ１Ｒに対して偏芯し、対物光学系により形成される光学像が上下左右に移動する。
【００４６】
２２は対物鏡筒２に対して左右方向にのみ移動可能に支持されたガイド部材である。２３，２４はガイド部材２２の左右方向の動きをガイドするガイドバーである。ガイドバー２３の両端は、対物鏡筒２に形成された溝部２０ａ，２０ｂに圧入又は接着されて保持されている。また、ガイドバー２４の両端は、対物鏡筒２に形成された溝部２０ｃ，２０ｄに圧入又は接着されて保持されている。
【００４７】
２５は駆動コイルであり、ガイド部材２２に接着されて固定されている。２６は駆動マグネットであり、左右方向にＮ極とＳ極が形成されている。駆動マグネット２６の背面には、図１に示すヨーク２７が配置されており、該ヨーク２７は、駆動マグネット２６の背面側で磁気回路を閉じている。ヨーク２７及び駆動マグネット２６は、対物鏡筒２に接着されて固定されているとともに、互いに吸着している。
【００４８】
２８はヨークであり、対物鏡筒２に設けられて、ガイド部材２２を貫通したボス部２０ｅにビスにより固定されている。ヨーク２８と駆動マグネット２６との間に駆動コイル２５が配置されており、ヨーク２８はヨーク２７とは反対側で磁気回路を閉じている。
【００４９】
駆動コイル２５に通電されると、ローレンツ力が発生してガイド部材２２が左右方向に移動する。ガイド部材２２における駆動コイル２５の中心には、磁気センサとしてのホール素子２９が取り付けられている。ホール素子２９は、ガイド部材２２とともに駆動マグネット２６に対して左右方向に移動することで、磁束密度の変化に応じた電気信号を出力する。ホール素子２９からの電気信号を用いて、ガイド部材２２の左右方向での位置を検出することができる。
【００５０】
３０，３１はガイドバーであり、シフト枠２１をガイド部材２２に対して上下方向に移動可能に支持している。ガイドバー３０の両端は、ガイド部材２２に形成された溝部２２ａ，２２ｂに圧入又は接着されて保持されている。また、ガイドバー３１の両端は、ガイド部材２２に形成された溝部２２ｃ，２２ｄに圧入又は接着されて保持されている
３２は駆動コイルであり、シフト枠２１に接着されて固定されている。３３は駆動マグネットであり、上下方向にＮ極とＳ極が配置されるように支持部材３５に接着されて固定されている。３４は駆動マグネット３３の背面側に配置され、磁気回路を閉じるヨークであり、支持部材３５に接着されて固定されている。ヨーク３４は、駆動マグネット３３に吸着している。駆動コイル３２は、前述したヨーク２８と駆動マグネット３３との間に配置されている。ヨーク２８は、前述したように駆動マグネット２６側の磁気回路を閉じているとともに、駆動マグネット３３側の磁気回路も閉じる。
【００５１】
支持部材３５は、対物鏡筒２に対して位置決めされたうえでビスにより固定されている。駆動コイル３２に通電されると、ローレンツ力が発生して、シフト枠２１が上下方向に移動する。図示はしないが、シフト枠２１における駆動コイル３２の中心には、磁気センサであるホール素子が取り付けられている。このホール素子は、シフト枠２１とともに駆動マグネット３３に対して上下方向に移動することで、磁束密度の変化に応じた電気信号を出力する。該ホール素子からの電気信号を用いて、シフト枠２１の上下方向での位置を検出することができる。
【００５２】
また、図示はしていないが、対物鏡筒２には、振れ補正ユニット２Ａを制御する電気回路基板が固定される。該基板には、双眼鏡のピッチ及びヨー方向の角速度を検出する振動ジャイロ等の振れセンサと、上記各ホール素子からの電気信号に基づいて、駆動コイル２５，３２への通電を制御する制御回路が実装されている。また、該基板には、電源ユニットや、振れ補正動作のＯＮ／ＯＦＦを切り替えるためのスイッチが設けられている。
【実施例２】
【００５３】
図６及び図７には、本発明の実施例２である双眼鏡の構成を示している。図６は双眼鏡の斜視図であり、図７は分解斜視図である。
【００５４】
図６において、ＯＬは左の対物光学系の光軸であり、ＯＲは右の対物光学系の光軸である。ＥＬは左の接眼光学系の光軸であり、ＥＲは右の接眼光学系の光軸である。左右の対物光学系、左右の正立光学系及び左右の接眼光学系の構成は、実施例１と同じである。
【００５５】
１０６Ｌ，１０６Ｒは左右の接眼ユニットである。１０７は左右の接眼ユニット１０６Ｌ，１０６Ｒ及び左右の対物光学系を支持する支持ベース部材である。
【００５６】
左右の接眼ユニット１０６Ｌ，１０６Ｒは、支持ベース部材１０７の後端において対物光学系の光軸ＯＬ，ＯＲに直交するように折り曲げられた垂直部１０７ａに取り付けられている。接眼ユニット１０６Ｌ，１０６Ｒの垂直部１０７ａへの取り付け構造と眼幅調整機構は実施例１と同じである。ただし、本実施例では、接眼光学系を光軸方向に移動させることで観察対象物にピントを合わせる構成を採用している。
【００５７】
１０１Ｌ，１０１Ｒはそれぞれ、対物レンズＬ１Ｌ，Ｌ１Ｒを保持する対物レンズ枠である。１０２は実施例１と同様に、対物レンズ枠１０１Ｌ，１０１Ｒが結合された対物鏡筒である。対物鏡筒１０２の内部には、実施例１と同様に構成された振れ補正ユニットが組み込まれている。本実施例でも、左右の対物レンズ（光学要素）Ｌ１Ｌ，Ｌ１Ｒは、対物鏡筒２によって一体となるように保持されている。本実施例でも、左右の対物光学系の全体が、その内部で振れ補正レンズが移動可能なように一体化されている。
【００５８】
１０７ｂは支持ベース部材１０７の上面部であり、該上面部１０７ｂには、対物鏡筒１０２が固定される。１０３は対物鏡筒１０２の上部に圧入又は接着により固定された４つの支持ピンである。該支持ピン１０３の根元部分には球面部１０３ｂが形成されており、該球面部１０３ｂの上端には円筒部１０３ａが形成されている。
【００５９】
１０４は２つの板バネであり、対物鏡筒１０２の上部に設けられたバネ取り付け部１０２ａ，１０２ｂに対して、支持ベース部材１０７に形成された穴部１０７ｇ，１０７ｈを貫通したビスによって位置決め固定される。２つの板バネ１０４は、そのバネ力により、対物鏡筒１０２を支持ベース部材１０７の上面部１０７ｂに押し付けるように引き上げる。これにより、４つの支持ピン１０３の球面部１０３ｂが、支持ベース部材１０７の上面部１０７ｂに形成された位置決め穴部１０７ｃ，１０７ｄと光軸方向に延びる位置決め長穴部１０７ｅ，１０７ｆの下面側の周縁部分に当接する。これにより、対物鏡筒１０２が支持ベース部材１０７により一体的に保持される。
【００６０】
次に、本実施例における光軸調整機構について説明する。図８には、図６に示す面Ｂでの断面を示している。面Ｂは、対物光学系の光軸ＯＬ，ＯＲに直交し、対物鏡筒１０２の２つのバネ取り付け部１０２ａ，１０２ｂを通る面である。
【００６１】
１１７は対物鏡筒１０２の左右にビスにより固定された光軸調整部材である。１１８は光軸調整ビスである。図７にも示すように、支持ベース部材１０７の上面部１０７ｂには、光軸調整ビス１１８をねじ込むための雌ねじ部１０７ｉ，１０７ｊが設けられている。
【００６２】
図８は、左の対物光学系（光軸ＯＬ）が右の対物光学系（光軸ＯＲ）に対して上側に位置した状態からの光軸調整の様子を示している。この場合、光軸調整ビス１１８を、支持ベース部材１０７の左の雌ねじ部１０７ｉにねじ込んでいくと、光軸調整ビス１１８の下端が左側の光軸調整部材１１７に当接して、対物鏡筒１０２の左側を押し下げる。このとき、支持ベース部材１０７の右側の位置決め穴部１０７ｄと位置決め長穴部１０７ｆを結ぶ軸、すなわち対物光学系の光軸ＯＬ，ＯＲに平行な軸の回りで対物鏡筒１０２が回動する。
【００６３】
これにより、左の対物光学系（光軸ＯＬ）が斜め下方向に移動するとともに、右の対物光学系（光軸ＯＲ）が左方向に移動し、左の対物光学系の光軸ＯＬと右の対物光学系の光軸ＯＲの上下方向での位置を一致させることができる。つまり、接眼ユニット１０６Ｌ，１０６Ｒを通して観察される左右の光学像の上下方向での位置を一致させることができる。なお、左の対物光学系の光軸ＯＬと右の対物光学系の光軸ＯＲは、左右方向には同じ量だけ移動する。
【００６４】
右の対物光学系（光軸ＯＲ）が左の対物光学系（光軸ＯＬ）よりも上側に位置する場合には、光軸調整ビス１１８を支持ベース部材１０７の右の雌ねじ部１０７ｊにねじ込めばよい。この場合、支持ベース部材１０７の左側の位置決め穴部１０７ｃと位置決め長穴部１０７ｅを結ぶ軸、すなわち対物光学系の光軸ＯＬ，ＯＲに平行な軸の回りで対物鏡筒１０２が回動する。
【００６５】
このように、対物鏡筒１０２を板バネ１０４により付勢し、光軸調整ビス１１８を支持ベース部材１０７に螺合させただけの簡単な構成で、該ビス１１８を回転させるだけの簡単な作業により、対物光学系の光軸ＯＬ，ＯＲの上下方向位置を精度良く調整できる。
【００６６】
また、本実施例では、対物光学系の光軸調整のための回動中心となる軸を、対物光学系の上方に設定することで、支持ベース部材１０７の前側の中央部１０７ｋを大きく空けることができる。これにより、外装部材（図示せず）の対応する部分を凹ますことができ、外観デザインの自由度を増すことができる。
【実施例３】
【００６７】
図９及び図１０には、本発明の実施例３である双眼鏡の構成を示している。図９は双眼鏡の斜視図であり、図１０は分解斜視図である。
【００６８】
これらの図において、ＯＬは左の対物光学系の光軸であり、ＯＲは右の対物光学系の光軸である。ＥＬは左の接眼光学系の光軸であり、ＥＲは右の接眼光学系の光軸である。
【００６９】
Ｌ２０１Ｌ，Ｌ２０１Ｒは左右の対物光学系の一部を構成する左右の第１対物レンズである。また、Ｌ２０５Ｌ，Ｌ２０５Ｒは左右の対物光学系の他の一部を構成する左右の第２対物レンズである。Ｌ２０２Ｌ，Ｌ２０２Ｒは左右の対物光学系のさらに他の一部を構成する左右の振れ補正レンズである。
【００７０】
振れ補正レンズＬ２０２Ｌ，Ｌ２０２Ｒは、第１及び第２対物レンズＬ２０１Ｌ，Ｌ２０１Ｒ，Ｌ２０５Ｌ，Ｌ２０５Ｒに対して上下左右にシフトすることで、左右の対物光学系がそれぞれ形成する光学像を上下左右に移動させる。
【００７１】
Ｌ２０６Ｌ，Ｌ２０６Ｒは左右の接眼ユニットであり、実施例１と同様に構成されている。Ｌ２０４Ｌ，Ｌ２０４Ｒは左右の接眼ユニットＬ２０６Ｌ，Ｌ２０６Ｒ内に配置されて左右の接眼光学系を構成する左右の接眼レンズである。
【００７２】
２０１は左右の第１対物レンズ（光学要素）Ｌ２０１Ｌ，Ｌ２０１Ｒを一体となるように保持する対物鏡筒である。本実施例では、左右の対物光学系の一部を構成する左右の第１対物レンズＬ２０１Ｌ，Ｌ２０１Ｒを対物鏡筒２０１により一体となるように保持し、該対物鏡筒２０１を回動させることで、左右の対物光学系の上下方向での光軸調整を行う。
【００７３】
２０２は振れ補正ベース部材である。２２１は左右の振れ補正レンズＬ２０２Ｌ，Ｌ２０２Ｒを一体となるように保持するシフト枠である。振れ補正ベース部材２０２は、シフト枠２２１を第１及び第２対物レンズＬ２０１Ｌ，Ｌ２０１Ｒ，Ｌ２０５Ｌ，Ｌ２０５Ｒに対して上下左右にシフトさせるためのベースとなる。
【００７４】
また、振れ補正ベース部材２０２は、右の第２対物レンズＬ２０５Ｒを保持する。また、振れ補正ベース部材２０２は、レンズ枠２０５を介して左の第２対物レンズＬ２０５Ｌを保持する。２０８はリング形状の板バネである。板バネ２０８は、３本のビスによって振れ補正ベース部材２０２に固定され、レンズ枠２０５を振れ補正ベース部材２０２の突き当て面に押し付けて、左の第２対物レンズＬ２０５Ｌを右の第２対物レンズＬ２０５Ｒと同じ光軸方向位置に保持させる。以上により実施例１と同様に構成された振れ補正ユニットに左右の第２対物レンズＬ２０５Ｌ、Ｌ２０５Ｒを追加した振れ補正ユニット２０２Ａを構成している。
【００７５】
２０７は左右の接眼ユニットＬ２０６Ｌ，Ｌ２０６Ｒ及び左右の対物光学系を支持する支持ベース部材である。接眼ユニット２０６Ｌ，２０６Ｒは、支持ベース部材２０７の後端において対物光学系の光軸ＯＬ，ＯＲに直交するように折り曲げられた垂直部２０７ａに取り付けられている。接眼ユニット２０６Ｌ，２０６Ｒの垂直部２０７ａへの取り付け構造と眼幅調整機構は実施例１と同じである。
【００７６】
２０９は、後述するように対物鏡筒２０１が取り付けられた振れ補正ベース部材２０２が３本のビスにより位置決めされて固定されるフォーカス支持部材である。本実施例では、実施例１と同様に、支持ベース部材２０７の上面部２０７ｂをベースとして、対物光学系全体を光軸方向に移動させることにより観察対象物にピントを合わる構成を採用している。ピント合わせ機構は、実施例１と同じである。
【００７７】
次に、本実施例での光軸調整機構について、図１１、図１２、図１３及び図１４を用いて説明する。図１１及び図１３は双眼鏡の正面図であり、図１２は双眼鏡の下面図である。図１４は、双眼鏡の側面図である。いずれの図でも外装部材は省略している。また、図１３及び図１４では、対物鏡筒２０１の図示も省略している。
【００７８】
図１１において、２０１ａは図９及び図１０にも示す対物鏡筒２０１における左右の対物光学系の光軸ＯＬ，ＯＲの間に設けられた回動中心穴部である。２０２ａは振れ補正ベース部材２０２に、回動中心穴部２０１ａに対応するよう設けられた回動中心ピンである。対物鏡筒２０１は、回動中心穴部２０１ａに回動中心ピン２０２ａが挿入され、４本のビスによって振れ補正ベース部材２０２の前端面に仮固定される。
【００７９】
図１２において、２０１ｂは図１０にも示すように対物鏡筒２０１の下部に設けられた調整穴部であり、２０２ｂは振れ補正ベース部材２０２の下面に形成された調整溝部である。２３０は円筒部２３０ａと該円筒部２３０ａに対して偏芯したピン部２３０ｂとを有する偏芯ピンである。
【００８０】
調整穴部２０１ｂには、偏芯ピン２３０の円筒部２３０ａが嵌め込まれ、調整溝部２０２ｂには、ピン部２３０ｂが挿入される。偏芯ピン２３０を調整穴部２０１ｂ内で円筒部２３０ａの軸回りに回転させると、ピン部２３０ｂが調整溝部２０２ｂの左右方向の端面を押す。これにより、図１１に示すように、対物鏡筒２０１が回動中心ピン２０２ａの回りで振れ補正ベース部材２０２に対して回動し、左右の対物光学系の光軸ＯＬ，ＯＲが上下逆方向に移動する。なお、回動中心ピン２０２ａは、対物光学系の光軸ＯＬ，ＯＲに平行な軸である。
【００８１】
こうして対物光学系の光軸調整を行った後、対物鏡筒２０１を振れ補正ベース部材２０２に仮固定していた４本のビスの増し締めを行うか接着によって、対物鏡筒２０１を振れ補正ベース部材２０２に固定する。以上の構成により、対物光学系の上下方向での光軸調整が可能である。
【００８２】
図１３において、２０５ｃはレンズ枠２０５に設けられた位置決め穴部であり、２０２ｃは振れ補正ベース部材２０２に設けられた位置決めピンである。また、図１２において、２０２ｄは振れ補正ベース部材２０２の下面に設けられた調整穴部であり、２０５ｄはレンズ枠２０５の下面に設けられた調整溝部である。
【００８３】
調整穴部２０２ｄには、先に説明した偏芯ピン２３０の円筒部２３０ａが嵌め込まれ、調整溝部２０５ｄには、ピン部２３０ｂが挿入される。偏芯ピン２３０を調整穴部２０２ｄ内で円筒部２３０ａの軸回りに回転させると、ピン部２３０ｂが調整溝部２０５ｄの左右方向の端面を押す。これにより、図１３に示すように、レンズ枠２０５が振れ補正ベース部材２０２に対して左右に移動し、左の対物光学系の光軸ＯＬが左右に移動する。
【００８４】
こうして左の対物光学系の光軸調整を行った後、図１４に示すように振れ補正ベース部材２０２の側面に形成された開口部２０２ｅ，２０２ｆから接着剤を流し込んで、レンズ枠２０５を振れ補正ベース部材２０２に固定する。
【００８５】
調整穴部２０１ｂと調整溝部２０２ｂ及び調整穴部２０２ｄと調整溝部２０５ｄをそれぞれ同一形状に形成することで、ひとつの偏芯ピン２３０を用いて対物光学系の上下方向及び左右方向での光軸調整を、同じ側（双眼鏡の下面側）から続けて行うことができる。
【００８６】
ただし、前述したように光軸ずれ許容量の小さい上下方向での光軸調整を行う偏芯ピン２３０においては、円筒部２０３ａに対するピン部２３０ｂの偏芯量を小さくして、偏芯ピン２３０の回転量に対する調整敏感度を低くし、調整をより容易にしてもよい。
【００８７】
このように、対物鏡筒２０１を回動可能に振れ補正ベース部材２０２に結合させ、それぞれに調整穴部及び調整溝部を形成しただけの簡単な構成で、偏芯ピン２３０を回転させるだけの簡単な作業により、対物光学系の光軸調節を精度良く行うことができる。
【００８８】
なお、本実施例は、特に、双眼鏡を構成する部品の製造精度のみでは、左右方向の光軸平行度が許容値の範囲に収められない場合に有効である。
【００８９】
以上、本発明の好ましい実施例について説明したが、本発明はこれらの実施例に限定されないことはいうまでもなく、その要旨の範囲内で種々の変形及び変更が可能である。
【００９０】
例えば、上記実施例１〜３では、振れ補正ユニットを有する双眼鏡について説明したが、振れ補正ユニットを有さない双眼鏡にも、本発明を適用することができる。
【図面の簡単な説明】
【００９１】
【図１】本発明の実施例１である双眼鏡の断面図。
【図２】実施例１の双眼鏡の斜視図。
【図３】実施例１の双眼鏡の分解斜視図。
【図４】実施例１の双眼鏡における光軸調整を説明する図。
【図５】実施例１の双眼鏡に設けられた振れ補正ユニットの分解斜視図。
【図６】本発明の実施例２である双眼鏡の斜視図。
【図７】実施例２の双眼鏡の分解斜視図。
【図８】実施例２の双眼鏡における光軸調整を説明する図。
【図９】本発明の実施例３である双眼鏡の斜視図。
【図１０】実施例３の双眼鏡の分解斜視図。
【図１１】実施例３の双眼鏡の正面図。
【図１２】実施例３の双眼鏡の下面図。
【図１３】実施例３の双眼鏡の左右方向での光軸調整を説明する図。
【図１４】実施例３の双眼鏡の側面図。
【符号の説明】
【００９２】
ＯＬ，ＯＲ  対物光学系の光軸
ＥＬ，ＥＲ  接眼光学系の光軸
Ｌ１Ｌ，Ｌ１Ｒ  対物レンズ
Ｌ２Ｌ，Ｌ２Ｒ  振れ補正レンズ
Ｌ３Ｌ，Ｌ３Ｒ  ポロII型正立プリズム
Ｌ４Ｌ，Ｌ４Ｒ  接眼レンズ
２  対物鏡筒
４Ｌ，４Ｒ  接眼鏡筒
６Ｌ，６Ｒ  接眼ユニット
７  支持ベース部材
８Ｌ，８Ｒ  連動板
９  フォーカス支持部材
１７  光軸調整部材
１８  光軸調整ビス
【図８】
2010097001.tif 000003
【図１】
2010097001.tif 000004
【図２】
2010097001.tif 000005
【図３】
2010097001.tif 000006
【図４】
2010097001.tif 000007
【図５】
2010097001.tif 000008
【図６】
2010097001.tif 000009
【図７】
2010097001.tif 000010
【図９】
2010097001.tif 000011
【図１０】
2010097001.tif 000012
【図１１】
2010097001.tif 000013
【図１２】
2010097001.tif 000014
【図１３】
2010097001.tif 000015
【図１４】
2010097001.tif 000016